(57)【特許請求の範囲】
【請求項１】
複数本の杆状部材を格子状に組立て、その上面にエアフィルタを載置固定するようにしたエアフィルタ載置用組立て枠における直交する杆状部材の連結装置において、一方の杆状部材の端部開口部内に固定される連結板と他方の杆状部材の側面に該一方の杆状部材の端面を当接させ、ボルトと該他方の杆状部材の内側面に設けたナットとを螺合して両杆状部材を該連結板と共に連結すると共に、該一方の杆状部材の内側面にその長手方向に沿って形成されるＵ字溝に該連結板をネジにより固定することを特徴とするエアフィルタ載置用組立て枠における直交する杆状部材の連結装置。
【請求項２】
該他方の杆状部材の外側面に当接する該一方の杆状部材の端面の上面には切欠きを設け、該連結板の上部に該一方の杆状部材の上方内側面と該他方の杆状部材の外側面とに当接するような受け部を設け、該切欠きと該連結板の受け部とで仕切られる部分にシール剤を充填したことを特徴とする請求項１記載のエアフィルタ載置用組立て枠における直交する杆状部材の連結装置。
【発明の詳細な説明】
【０００１】
【産業上の利用分野】
本発明は、複数本の杆状部材を格子状に組立て、その上面にエアフィルタを載置固定するようにしたエアフィルタ載置用組立て枠における直交する杆状部材の連結装置に関する。
【０００２】
【従来の技術】
実公平３−２８８９０号公報には、エアフィルタ載置用組立て枠における直交する杆状部材を任意の位置で自由に連結できるようにすることを目的に、「一方の杆状部材の側面にその長手方向に沿って形成される凹溝内に摺動自在に嵌合される連結部材と、該連結部材を該凹溝内の所望位置に取外し自在に固定するボルト又は植込ボルトとナット並びに該杆状部材の端部開口部内に固定される連結板とから成り、該杆状部材の側面に他方の杆状部材の端面を当接させ、ボルト又は植込ボルトとナットを該連結部材に螺合して両杆状部材を該連結板と共に連結したもの」が提案されていた。
【０００３】
【発明が解決しようとする課題】
ところが、自由自在に連結できるメリットは多大な効果ではあるものの、施工時を除けば格子を形成する杆状部材の位置を変更する機会はそれ程ない。このため、一方の杆状部材の側面に沿って形成される凹溝であって連結されていない部分に溝カバーを嵌装させて、該凹溝内に塵埃が堆積することを防止することが必要となるが、そのカバーの嵌装作業が面倒でありまた部品点数増によるコストアップにもつながり又外観的、強度的にも見直しが必要となった。
本発明の目的は、気密が充分に維持でき、しかも作業工程が簡単でありかつ安価で製造できる直交する杆状部材の連結装置を提供することにある。
【０００４】
【課題を解決するための手段】
本発明の直交する杆状部材の連結装置は、上記目的を達成すべく、複数本の杆状部材を格子状に組立て、その上面にエアフィルタを載置固定するようにしたエアフィルタ載置用組立て枠における直交する杆状部材の連結装置において、一方の杆状部材の端部開口部内に固定される連結板と他方の杆状部材の側面に該一方の杆状部材の端面を当接させ、ボルトと該他方の杆状部材の内側面に設けたナットとを螺合して両杆状部材を該連結板と共に連結すると共に、該一方の杆状部材の内側面にその長手方向に沿って形成されるＵ字溝に該連結板をネジにより固定することを特徴とする。
また、上記連結装置において、該他方の杆状部材の外側面に当接する該一方の杆状部材の端面の上面には切欠きを設け、該連結板の上部に該一方の杆状部材の上方内側面と該他方の杆状部材の外側面とに当接するような受け部を設け、該切欠きと該連結板の受け部とで仕切られる部分にシール剤を充填したことが好ましい。
【０００５】
【作用】
本発明によれば、杆状部材の外側面から連結材をリベット等で取付けることなく連結板が杆状部材の内部で頑丈に固定しているため、引張り強度が向上し、耐震性もあり、又杆状部材の連結面のみが完全にシールされれば気密が充分に維持できる。
また、自由自在に連結できるための凹溝は杆状部部材の外側面に設けられていないが、一度組み立てた後連結位置の変更のない施工においては、凹溝へのカバーの嵌装作業が軽減されまた部品点数を少なくできる。
【０００６】
【実施例】
以下本発明の実施例を図１〜３に従って説明する。
図１は本発明の連結装置の一部裁断拡大平面図、図２は図１のＡ−Ａ線裁断面図、図３は図１のＢ−Ｂ線裁断面図である。
図１に示すように、複数本の杆状部材を格子状に組み立て、その上面にフィルタを載置固定するようにしたエアフィルタ載置用組み立て枠における直交する杆状部材の連結装置であって、一方の杆状部材１の端部開口部１ａ内に固定される連結板２と他方の杆状部材３の外側面３ｂに、該一方の杆状部材１の端面１ｂを当接させ、ボルト４と該他方の杆状部材３の内側面３ａに設けたナット５とを螺合して両杆状部材１、３を該連結板２と共に連結する。該一方の杆状部材１の内側面１ｃにその長手方向に沿って形成されるＵ字溝６に該連結板２をネジ７により固定する。
【０００７】
該他方の杆状部材３の外側面３ｂに当接する一方の杆状部材１の端面１ｂの上面１ｄには切欠き１ｅを設け、該連結板２の上部に該一方の杆状部材１の上方内側面１ｆと該他方の杆状部材３の外側面３ｂとに当接するような受け部２ａを設け、該切欠き１ｅと該連結板２の受け部２ａとで仕切られる部分にシール剤８を充填する。
上記実施例において、連結板２をボルト４とナット５とにより該他方の杆状部材３に連結する際に、該他方の杆状部材３の外側面３ｂと連結板２との間にスペーサー９を挿入することでネジ７の頭部のための隙間を保持すると共に連結固定を確実にすることができる。
【０００８】
尚、Ｕ字溝６は杆状部材１、３の内側面に長手方向に渡り設けられるため、端部ではネジ７の挿入固定に役立ち、全長に渡り杆状部材１、３の補強の役目もする。
尚、上記他方の杆状部材３の上部には杆状部材３を天井裏から吊り下げるための溝１ｇが設けられる。
尚、上記他方の杆状部材３の底部は照明灯や間仕切パネルを取り付けるため解放できるようフタ１ｈが設けられ、この杆状部材３の内側面３ａの下方には照明灯や間仕切パネルを固定するための溝１ｉが設けられている。また、上記実施例ではナット５はボルト４の２本分が一体のものであるとして示したが、各々別々のものであってもよい。
尚、実施例では連結板２とスペーサー９とは別体であるとして示したが、一体のものであってもよい。
【０００９】
【発明の効果】
以上説明したように、本発明によれば、杆状部材の外側面から連結材をリベット等で取付けることなく連結板が杆状部材の内部で頑丈に固定しているため、引張り強度が向上し、耐震性もあり、又杆状部材の連結面のみが完全にシールされれば気密が充分に維持できる。
また、自由自在に連結できるための凹溝は杆状部部材の外側面に設けられていないが、一度組み立てた後連結位置の変更のない施工においては、凹溝へのカバーの嵌装作業が軽減されまた部品点数を少なくできる。
【図面の簡単な説明】
【図１】本発明の連結装置の一部裁断拡大平面図
【図２】図１のＡ−Ａ線裁断面図
【図３】図１のＢ−Ｂ線裁断面図
【符号の説明】
１  杆状部材
１ａ  端部開口部
１ｂ  端面
１ｃ  内側面
１ｄ  上面
１ｅ  切欠き
１ｆ  上方内側面
１ｇ  溝
１ｈ  フタ
１ｉ  溝
２  連結板
２ａ  受け部
３  杆状部材
３ａ  内側面
３ｂ  外側面
４  ボルト
５  ナット
６  Ｕ字溝
７  ネジ
８  シール剤
９  スペーサー
【図１】
0003583827.tif 000002
【図２】
0003583827.tif 000003
【図３】
0003583827.tif 000004